(57)【要約】【課題】便がユーザの視界に入ることを抑制可能な簡易トイレ用便座ユニット、及び、該便座ユニットを含む簡易トイレを提供する。【解決手段】便座ユニットは、折り畳み可能な簡易トイレの一部を構成する。簡易トイレは、上方に第１開口部が形成されたトイレ本体と、トイレ本体の上方に取り付けられる便座ユニットとを含む。便座ユニットは、便座本体と、第１目隠し部材とを備える。便座本体には、第２開口部が形成されている。第１目隠し部材は、第２開口部の周縁部から第１開口部内に延びる。【選択図】図１
2019213768.tif 000002
【特許請求の範囲】
【請求項１】
折り畳み可能な簡易トイレの一部を構成する便座ユニットであって、
前記簡易トイレは、上方に第１開口部が形成されたトイレ本体と、前記トイレ本体の上方に取り付けられる前記便座ユニットとを含み、
前記便座ユニットは、
第２開口部が形成された便座本体と、
前記第２開口部の周縁部から前記第１開口部内に延びる第１目隠し部材とを備える、便座ユニット。
【請求項２】
前記第１目隠し部材の表面には、便の付着を抑制するための加工が施されている、請求項１に記載の便座ユニット。
【請求項３】
前記便座本体に取り付けられた蓋をさらに備え、
前記蓋は、
前記第２開口部を覆った閉状態と、前記第２開口部を開放した開状態との間で遷移可能な蓋本体と、
前記蓋本体に取り付けられており、前記第１開口部内に延びる第２目隠し部材とを含み、
前記蓋本体が前記閉状態である場合に前記第２目隠し部材は前記第１目隠し部材に接さず、前記蓋本体が前記開状態である場合に前記第２目隠し部材は前記第１目隠し部材に接する、請求項１又は請求項２に記載の便座ユニット。
【請求項４】
前記第２目隠し部材の表面には、便の付着を抑制するための加工が施されている、請求項３に記載の便座ユニット。
【請求項５】
前記第１目隠し部材は、紙で形成されており、
前記第１目隠し部材の一端は前記第２開口部の周縁部に取り付けられており、他端は折り返されている、請求項１から請求項４のいずれか１項に記載の便座ユニット。
【請求項６】
請求項１から請求項４のいずれか１項に記載の便座ユニットと、
前記トイレ本体とを備える、簡易トイレ。
【請求項７】
前記トイレ本体は、
前記第１開口部を形成する第１筒状部材と、
前記第１筒状部材を取り囲む位置に設けられた第２筒状部材とを含み、
前記便座ユニットは、前記第２筒状部材を覆う位置に取り付けられている、請求項６に記載の簡易トイレ。
【発明の詳細な説明】
【技術分野】
【０００１】
本発明は、便座ユニット及び簡易トイレに関し、特に、折り畳み可能な簡易トイレの一部を構成する便座ユニット及び該便座ユニットを含む簡易トイレに関する。
【背景技術】
【０００２】
特開２０１５−１３１０５５号公報（特許文献１）は、折り畳み可能な簡易トイレを開示する。この簡易トイレは板紙で構成されており、ユーザは、未使用時には該簡易トイレを折り畳むことができ、使用時には該簡易トイレを組み立てることができる（特許文献１参照）。
【先行技術文献】
【特許文献】
【０００３】
【特許文献１】特開２０１５−１３１０５５号公報
【発明の概要】
【発明が解決しようとする課題】
【０００４】
上記特許文献１に開示される簡易トイレにおいては、便座に設けられた開口部と簡易トイレの底部との間に、ユーザの視界を遮るものがない。したがって、ユーザは簡易トイレの底部を視認可能であり、簡易トイレが使用済みである場合には便がユーザの視界に入る。
【０００５】
本発明は、このような問題を解決するためになされたものであって、その目的は、便がユーザの視界に入ることを抑制可能な簡易トイレ用便座ユニット、及び、該便座ユニットを含む簡易トイレを提供することである。
【課題を解決するための手段】
【０００６】
本発明のある局面に従う便座ユニットは、折り畳み可能な簡易トイレの一部を構成する。簡易トイレは、上方に第１開口部が形成されたトイレ本体と、トイレ本体の上方に取り付けられる便座ユニットとを含む。便座ユニットは、便座本体と、第１目隠し部材とを備える。便座本体には、第２開口部が形成されている。第１目隠し部材は、第２開口部の周縁部から第１開口部内に延びる。
【０００７】
この便座ユニットにおいては、第１目隠し部材が設けられている。したがって、この便座ユニットによれば、第１目隠し部材がユーザの視界を遮るため、第１目隠し部材が設けられていない場合と比較して、便がユーザの視界に入ることを抑制することができる。
【０００８】
また、好ましくは、第１目隠し部材の表面には、便の付着を抑制するための加工が施されている。
【０００９】
この便座ユニットによれば、第１目隠し部材の表面に便が付着しにくいため、第１目隠し部材上においても便がユーザの視界に入ることを抑制することができる。
【００１０】
また、好ましくは、上記便座ユニットは、便座本体に取り付けられた蓋をさらに備える。蓋は、蓋本体と、第２目隠し部材とを含む。蓋本体は、第２開口部を覆った閉状態と、第２開口部を開放した開状態との間で遷移可能である。第２目隠し部材は、蓋本体に取り付けられており、第１開口部内に延びる。蓋本体が閉状態である場合に第２目隠し部材は第１目隠し部材に接さず、蓋本体が開状態である場合に第２目隠し部材は第１目隠し部材に接する。
【００１１】
この便座ユニットにおいては、蓋本体が開状態である場合に第２目隠し部材が第１目隠し部材に接する。したがって、この便座ユニットによれば、蓋本体が開状態である場合に第１及び第２目隠し部材によって簡易トイレの底部への視界が遮られるため、便がユーザの視界に入ることを抑制することができる。
【００１２】
また、好ましくは、第２目隠し部材の表面には、便の付着を抑制するための加工が施されている。
【００１３】
この便座ユニットによれば、第２目隠し部材の表面に便が付着しにくいため、第２目隠し部材上においても便がユーザの視界に入ることを抑制することができる。
【００１４】
また、好ましくは、上記便座ユニットにおいて、第１目隠し部材は、紙で形成されている。第１目隠し部材の一端は第２開口部の周縁部に取り付けられており、他端は折り返されている。
【００１５】
この便座ユニットにおいては、第１目隠し部材の他端が折り返されている。したがって、この便座ユニットによれば、第１目隠し部材のうち便に触れ得る部分の全体において便の付着を抑制するための加工を行なうことができるため、第１目隠し部材の劣化を抑制することができる。
【００１６】
また、本発明の別の局面に従う簡易トイレは、上記便座ユニットと、上記トイレ本体とを備える。
【００１７】
この簡易トイレにおいては、便座ユニットに第１目隠し部材が設けられている。したがって、この簡易トイレによれば、第１目隠し部材がユーザの視界を遮るため、第１目隠し部材が設けられていない場合と比較して、便がユーザの視界に入ることを抑制することができる。
【００１８】
また、好ましくは、上記簡易トイレにおいて、トイレ本体は、第１筒状部材と、第２筒状部材とを含む。第１筒状部材は、第１開口部を形成する。第２筒状部材は、第１筒状部材を取り囲む位置に設けられている。上記便座ユニットは、第２筒状部材を覆う位置に取り付けられている。
【００１９】
この簡易トイレにおいては、第１筒状部材を取り囲む位置に第２筒状部材が設けられている。したがって、この簡易トイレによれば、たとえば、便を収容する袋を第１筒状部材に装着した場合に、ユーザが簡易トイレの外側から便を収容する袋を視認できないようにすることができる。
【発明の効果】
【００２０】
本発明によれば、便がユーザの視界に入ることを抑制可能な簡易トイレ用便座ユニット、及び、該便座ユニットを含む簡易トイレを提供することができる。
【図面の簡単な説明】
【００２１】
【図１】簡易トイレの斜視図である。
【図２】便座ユニットの斜視図である。
【図３】蓋本体が開いた状態における便座ユニットの上面側を示す図である。
【図４】蓋本体が開いた状態における便座ユニットの下面側を示す図である。
【図５】蓋本体が閉じた状態における便座ユニットの下面側を示す図である。
【図６】蓋本体が閉じた状態における便座ユニットを側方から示す図である。
【図７】ゴミ袋が取り付けられた状態におけるトイレ本体の斜視図である。
【図８】トイレ本体の上面側を示す図である。
【図９】トイレ本体の下面（裏面）側を示す図である。
【図１０】折り畳まれた状態における便座ユニットを示す図である。
【図１１】折り畳まれた状態におけるトイレ本体を示す図である。
【発明を実施するための形態】
【００２２】
以下、本発明の実施の形態について、図面を参照しながら詳細に説明する。なお、図中同一又は相当部分には同一符号を付してその説明は繰り返さない。
【００２３】
［１．全体構成］
図１は、本実施の形態に従う簡易トイレ１０の斜視図である。簡易トイレ１０は、たとえば、段ボール及び厚紙等の板紙によって構成されている。簡易トイレ１０は、たとえば、平常時には折り畳まれた状態で保管されており、震災等の異常時にトイレとして使用される。
【００２４】
図１に示されるように、簡易トイレ１０は、便座ユニット１００と、トイレ本体２００とを含んでいる。便座ユニット１００とトイレ本体２００とは分離可能である。平常時においては、便座ユニット１００及びトイレ本体２００の各々は、分離された状態で折り畳まれている。詳細については後述するが、便座ユニット１００及びトイレ本体２００の各々は、折り畳まれた状態からワンタッチで組み立てられる。したがって、普段から簡易トイレ１０を使用していないユーザであっても、震災等の異常時に、簡易トイレ１０を容易に組み立てることができる。
【００２５】
簡易トイレは、震災等の異常時に使用されるため、たとえば、赤の他人も含む複数人で共用され得る。この場合に、各ユーザにとって、他人の便が視界に入ることは好ましくない。本実施の形態に従う簡易トイレ１０においては、便がユーザの視界に入らないようにするための種々の工夫が施されている。以下、簡易トイレ１０について詳細に説明する。
【００２６】
［２．便座ユニットの構成］
図２は、便座ユニット１００の斜視図である。図３は、蓋本体１３１が開いた状態における便座ユニット１００の上面側を示す図である。図４は、蓋本体１３１が開いた状態における便座ユニット１００の下面側を示す図である。図２、図３及び図４に示されるように、便座ユニット１００は、便座本体１１０と、目隠し部材１２０と、蓋１３０とを含んでいる。
【００２７】
便座本体１１０は、たとえば、段ボールで構成されており、平面視矩形状の形状を有する。便座本体１１０の上面には、略卵型の開口部１１２が形成されている。便座本体１１０の外周部分には下方に延びる壁部１１４が形成されており、該壁部１１４がトイレ本体２００（図１）の外周部分（筒状部材２２０（後述））の一部を覆う。
【００２８】
目隠し部材１２０は、たとえば、厚紙で構成されており、開口部１１２の周縁部から下方に延びている。目隠し部材１２０は、取付け部１２１，１２２において、たとえば両面テープによって便座本体１１０の下面に貼り付けられている。目隠し部材１２０は、斜面部１２３と、側面部１２６とを含んでいる。斜面部１２３は便座本体１１０の下面から斜め下方に延びており、側面部１２６は便座本体１１０の下面から略下方に延びている。目隠し部材１２０のうち特に斜面部１２３がユーザの視界を遮り、トイレ本体２００（図１）の底に溜まった便がユーザの視界に入ることが抑制される。
【００２９】
斜面部１２３及び側面部１２６の下方の端部、並びに、側面部１２６の後方（平面視における便座ユニット１００の中心から蓋１３０が取り付けられている位置に向かう方向）の端部には、折返し１２４が形成されている。折返し１２４が形成されることで、後述の「便の付着を抑制するための加工」を目隠し部材１２０の各端部においても十分に施すことができる。
【００３０】
目隠し部材１２０のうち、便座本体１１０に取り付けられた状態で上面側に露出する面には、「便の付着を抑制するための加工」が施されている。たとえば、目隠し部材１２０の表面は、金属酸化物等の微粒子によって形成された凹凸を有し、さらにフッ素系ポリマーのような撥水撥油材で被覆されている。また、たとえば、目隠し部材１２０の表面には、ＷＯ ２０１７／１７９３１６（国際出願番号：ＰＣＴ／ＪＰ２０１７／００７２５１）に開示されている塗膜が形成されている。たとえば、この塗膜は、平均粒子径が６００ｎｍ〜９０００ｎｍの炭酸カルシウム、ポリビニルアルコール、及び、炭素数が６以下のパーフルオロアルキル基を有するモノマーを構成単位に含む共重合体を含んでいる。これにより、目隠し部材１２０においては、表面における便の付着が抑制されるため、便がユーザの視界に入ることが抑制される。
【００３１】
蓋１３０は、蓋本体１３１と、目隠し部材１３２とを含んでいる。蓋本体１３１は、たとえば、段ボールで構成されており、平面視八角形状の形状を有する。蓋本体１３１は、取付け部１３５（図２）において、たとえば両面テープによって便座本体１１０の上面後端部に貼り付けられている。蓋本体１３１は、開口部１１２を覆った閉状態と、開口部１１２を開放した開状態との間で遷移（折り曲げ）可能である。
【００３２】
目隠し部材１３２は、たとえば、厚紙で形成されており、平面視舌片状の形状を有している。目隠し部材１３２は、取付け部１３３（図３）において、たとえば両面テープによって蓋本体１３１に貼り付けられている。より具体的には、目隠し部材１３２は、開状態において蓋本体１３１の上面となる位置に貼り付けられている。目隠し部材１３２の表面には、上述の「便の付着を抑制するための加工」が施されている。また、目隠し部材１３２の各端部には折返し１３４（図４）が形成されている。したがって、目隠し部材１３２においては、「便の付着を抑制するための加工」が各端部においても十分に施されている。
【００３３】
目隠し部材１３２は、蓋本体１３１が開状態である場合に、目隠し部材１２０に接する。すなわち、蓋本体１３１が開状態である場合に、目隠し部材１２０，１３２が目隠しとなり、トイレ本体２００（図１）の底部が簡易トイレ１０の上方から見えなくなる。したがって、便座ユニット１００によれば、蓋本体１３１が開状態である場合に目隠し部材１２０，１３２によってトイレ本体２００の底部への視界が遮られるため、便がユーザの視界に入ることを抑制することができる。
【００３４】
図５は、蓋本体１３１が閉じた状態における便座ユニット１００の下面側を示す図である。図６は、蓋本体１３１が閉じた状態における便座ユニット１００を側方から示す図である。図５及び図６に示されるように、目隠し部材１３２は、蓋本体１３１が閉状態である場合に、目隠し部材１２０に接さない。
【００３５】
［３．トイレ本体の構成］
図７は、ゴミ袋３００が取り付けられた状態におけるトイレ本体２００の斜視図である。図８は、トイレ本体２００の上面側を示す図である。図９は、トイレ本体２００の下面（裏面）側を示す図である。図７、図８及び図９に示されるように、トイレ本体２００は、筒状部材２１０，２２０と、底面板２３０とを含んでいる。
【００３６】
筒状部材２１０，２２０の各々は、たとえば、段ボールで構成された筒状の部材である。筒状部材２２０の外周は筒状部材２１０の外周よりも長く、筒状部材２２０は筒状部材２１０を取り囲んでいる。筒状部材２１０には開口部２１２（図８）が形成されている。筒状部材２２０の下面側の両方の側端部には舌片部２２２（図９）が形成されており、舌片部２２２と筒状部材２１０とがたとえば両面テープによって貼り合わされている。また、筒状部材２１０の下面側の両方の側端部には舌片部２１４が形成されており、舌片部２１４と底面板２３０とがたとえば両面テープによって貼り合わされている。なお、底面板２３０は、たとえば、段ボールで構成された板状の部材である。
【００３７】
簡易トイレ１０の使用時には、筒状部材２１０にゴミ袋３００（図７）が取り付けられ、ゴミ袋３００が開口部２１２内に配置される。筒状部材２１０を取り囲むように筒状部材２２０が設けられているため、ゴミ袋３００はトイレ本体２００の外側に露出しない。筒状部材２１０にゴミ袋３００が取り付けられた状態で、トイレ本体２００の上方に便座ユニット１００が取り付けられる。すなわち、便座ユニット１００は、筒状部材２２０を覆う位置に取り付けられる。
【００３８】
［４．組立て］
上述のように、便座ユニット１００及びトイレ本体２００の各々は、折り畳まれた状態からワンタッチで組み立てられる。
【００３９】
図１０は、折り畳まれた状態における便座ユニット１００を示す図である。図１０に示されるように、便座ユニット１００は、折り畳まれた状態において、折り畳み前よりも薄くなっている。たとえば、平常時において、便座ユニット１００は、折り畳まれた状態で保管される。折り畳まれた状態の便座ユニット１００が開かれると、便座ユニット１００は、図５に示されるような状態となる。すなわち、便座ユニット１００は、折り畳まれた状態からワンタッチで組み立てられる。
【００４０】
図１１は、折り畳まれた状態におけるトイレ本体２００を示す図である。図１１に示されるように、トイレ本体２００は、折り畳まれた状態において、折り畳み前よりも薄くなっている。たとえば、平常時において、トイレ本体２００は、折り畳まれた状態で保管される。折り畳まれた状態のトイレ本体２００が開かれると、トイレ本体２００は、図８に示されるような状態となる。すなわち、トイレ本体２００は、折り畳まれた状態からワンタッチで組み立てられる。このように、便座ユニット１００及びトイレ本体２００の各々がワンタッチで組立て可能であるため、普段から簡易トイレ１０を使用していないユーザであっても、震災等の異常時に、簡易トイレ１０を容易に組み立てることができる。
【００４１】
［５．特徴］
以上のように、本実施の形態に従う便座ユニット１００は、開口部１１２の周縁部から下方（開口部２１２内）に延びる目隠し部材１２０を備えている。便座ユニット１００によれば、目隠し部材１２０がユーザの視界を遮るため、目隠し部材１２０が設けられていない場合と比較して、便がユーザの視界に入ることを抑制することができる。
【００４２】
なお、簡易トイレ１０は、本発明の「簡易トイレ」の一例であり、便座ユニット１００は、本発明の「便座ユニット」の一例であり、トイレ本体２００は、本発明の「トイレ本体」の一例である。便座本体１１０は、本発明の「便座本体」の一例であり、目隠し部材１２０は、本発明の「第１目隠し部材」の一例である。蓋１３０は、本発明の「蓋」の一例であり、蓋本体１３１は、本発明の「蓋本体」の一例であり、目隠し部材１３２は、本発明の「第２目隠し部材」の一例である。筒状部材２１０は、本発明の「第１筒状部材」の一例であり、筒状部材２２０は、本発明の「第２筒状部材」の一例である。
【００４３】
［６．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００４４】
＜６−１＞
上記実施の形態においては、たとえば、便座本体１１０、蓋本体１３１及びトイレ本体２００は段ボールで構成され、目隠し部材１２０及び目隠し部材１３２は厚紙で構成された。しかしながら、各部材の材料はこれに限定されない。たとえば、すべての部材が段ボールで構成されてもよいし、すべての部材が厚紙で構成されてもよい。また、一部又は全部の部材がプラスチック等の他の材料によって構成されてもよい。
【００４５】
＜６−２＞
また、上記実施の形態においては、蓋１３０に目隠し部材１３２が設けられた。しかしながら、蓋１３０には必ずしも目隠し部材１３２が設けられなくてもよい。また、たとえば、蓋１３０に目隠し部材１３２が設けられない代わりに、目隠し部材１２０において、前方側に設けられた斜面部１２３に加えて、後方側にも斜面部が設けられてもよい。
【００４６】
＜６−３＞
また、上記実施の形態においては、蓋１３０が設けられたが、蓋１３０は必ずしも設けられなくてもよい。
【００４７】
＜６−４＞
また、上記実施の形態においては、目隠し部材１２０及び目隠し部材１３２の表面に「便の付着を抑制するための加工」が施されたが、必ずしも該加工が施されてなくてもよい。
【符号の説明】
【００４８】
１０  簡易トイレ、１００  便座ユニット、１１０  便座本体、１１２，２１２  開口部、１１４  壁部、１２０，１３２  目隠し部材、１２１，１２２，１３３，１３５  取付け部、１２３  斜面部、１２４，１３４  折返し、１２６  側面部、１３０  蓋、１３１  蓋本体、２００  トイレ本体、２１０，２２０  筒状部材、２１４，２２２  舌片部、２３０  底面板、３００  ゴミ袋。
【図１】
2019213768.tif 000003
【図２】
2019213768.tif 000004
【図３】
2019213768.tif 000005
【図４】
2019213768.tif 000006
【図５】
2019213768.tif 000007
【図６】
2019213768.tif 000008
【図７】
2019213768.tif 000009
【図８】
2019213768.tif 000010
【図９】
2019213768.tif 000011
【図１０】
2019213768.tif 000012
【図１１】
2019213768.tif 000013